(57)【要約】  ハウジング上側に対向する底（１６）と、駆動位置においてハウジング（１１）の前側から後ろ側へ延びる、互いに堅固に結合された２つの側方部分（１２、１３）とを備えたハウジング（１１）と、ハウジング（１１）内に取り付けられた印刷装置（４８）であって、前記印刷装置に用紙−圧接ローラ（４３）が対向している、前記印刷装置と、ロール形式の、印刷すべき用紙のストックを収容するための、ハウジング（１１）内の用紙収容ユニット（３４）とを有する、モバイル適用、たとえばタコグラフ（１）のための、プリンタ装置（７）；簡単な用紙交換を可能にする構造を得るために、底（１６）が、圧接ローラ（４３）を支持し、かつ後方の領域において側方部分（１２、１３）から下方へ開くことができるように保持されており、底（１６）が、ハウジング（１１）の下側が開放する、開かれた状態において、ハウジング（１１）内の用紙収容ユニット（３４）を解放する。
2011509847.tif 000002
【特許請求の範囲】
【請求項１】
プリンタ装置（７）であって、
ハウジング上側に対向する底（１６）と、駆動位置においてハウジング（１１）の前側から後ろ側へ延びる、互いに堅固に結合された２つの側方部分（１２、１３）とを備えたハウジング（１１）と、
ハウジング（１１）内に取り付けられた印刷装置（４８）であって、前記印刷装置に用紙−圧接ローラ（４３）が対向している、前記印刷装置と、
印刷すべき用紙のストックを収容するための、ハウジング（１１）内の用紙収容ユニット（３４）と、を有し、
底（１６）が、圧接ローラ（４３）を支持し、かつ後方の領域において側方部分（１２、１３）から下方へ開くことができるように保持されており、
底（１６）が、ハウジング（１１）の下側が開放する、開かれた状態において、ハウジング（１１）内の用紙収容ユニット（３４）を解放する、
ことを特徴とするプリンタ装置。
【請求項２】
底（１６）が、摺動および揺動制御装置（１８）を介して、ハウジング（１１）の側方部分（１２、１３）と結合されている、ことを特徴とする請求項１に記載のプリンタ装置。
【請求項３】
摺動および揺動制御装置が、
側方部分（１２、１３）内のピンガイド（１９、２６、２９）と、
それと協働する、底（１６）の側方（２３、２４）に設けられたピン（２０、２１、２２）と、
を有している、
ことを特徴とする請求項２に記載のプリンタ装置。
【請求項４】
ピンガイド（１６、２６、２９）が、
まっすぐなガイド（１９、２７、３０）と、
アーチ形状のガイド（２８、３２）と、
を有している、
ことを特徴とする請求項３に記載のプリンタ装置。
【請求項５】
ピンガイド（１９、２６、２９）が、壁形状の側方部分（１２、１３）内のスロットによって形成されている、ことを特徴とする請求項３または４に記載のプリンタ装置。
【請求項６】
各側方部分（１２、１３）が、
後方の領域内に、まっすぐに延びて、同時に底（１６）のための揺動軸受を形成する、後方のピンガイド（１９）、
を有している、
ことを特徴とする請求項３から５のいずれか１項に記載のプリンタ装置。
【請求項７】
各側方部分（１２、１３）が、組み合わされたピンガイド（２６）を有しており、
前記ピンガイドが、
まっすぐな部分（２７）、
まっすぐな部分に対して平行に延びる後方のピンガイド（１９）、および、
それに接続された、好ましくは少なくとも部分的に円弧形状に形成された、前方かつ下方へ延びるアーチ部分（２８）を有している、
ことを特徴とする請求項６に記載のプリンタ装置。
【請求項８】
アーチ部分（２８）が、下方の領域内で再び後方へ延びて（３２）、
まっすぐな後方のピンガイド（１９）内へ嵌入するピン（２０）は、底（１６）が引き開けられる場合に制御を受けて、組み合わされたピンガイド内へ嵌入するピン（２２）を介して、再び後方の端部へ向かって戻るように摺動される、
ことを特徴とする請求項７に記載のプリンタ装置。
【請求項９】
まっすぐな後方のピンガイド（１９）の領域内に、ピン（２０）を後方の領域内に取り外し可能に固定するために、弾性変形可能な係止部（２５）が設けられている、
ことを特徴とする請求項６から８のいずれか１項に記載のプリンタ装置。
【請求項１０】
係止部（２５）が、長手スロットとして形成されたまっすぐな後方のピンガイド（１９）の狭窄によって形成されている、ことを特徴とする請求項９に記載のプリンタ装置。
【請求項１１】
各側方部分（１２、１３）が、その前方の半分の中に、一般的にＬ字状に形成されたピンガイド（２９）を有しており、
前記ピンガイドが、
まっすぐな後方のピンガイドに対して平行な、まっすぐな部分（３０）と、
それに連続して下方へ延びて、側方部分（１２、１３）の下方の端縁において自由に開口する解放部分（３１）と、を有している、
ことを特徴とする請求項３から１０のいずれか１項に記載のプリンタ装置。
【請求項１２】
ハウジングが、水平に分割されたフロント壁（８）を有しており、
下方の壁部分（１０）が底（１６）と堅固に結合されており、
それに対して上方の壁部分（９）は、ハウジング上側（１４）に揺動可能に保持されている、
ことを特徴とする請求項１から１１のいずれか１項に記載のプリンタ装置。
【請求項１３】
壁部分（９、１０）の間に、印刷された用紙を通過させるためのスロット（３８）が形成されている、ことを特徴とする請求項１２に記載のプリンタ装置。
【請求項１４】
上方の壁部分（９）が、下方の細片（４０）を支持している、ことを特徴とする請求項１２または１３に記載のプリンタ装置。
【請求項１５】
細片（４０）が、シールを形成する、ことを特徴とする請求項１４に記載のプリンタ装置。
【請求項１６】
下方の壁部分（１０）を前へ移動させながら、底（１６）が引き開けられる場合に、
細片（４０）が、上方の壁部分（９）を前へ揺動させるための連動部材を形成する、
ことを特徴とする請求項１４または１５に記載のプリンタ装置。
【請求項１７】
上方の壁部分（９）が、少なくとも１つの側方の、たとえば歯の形状の連動ストッパ（３３）を有しており、
底（１６）が閉鎖された駆動位置へ戻るように移動する場合に、下方の壁部分（１０）が前記連動ストッパに添接し、それによって上方の壁部分（１０）が閉鎖位置へ戻るように移動される、
ことを特徴とする請求項１２から１６のいずれか１項に記載のプリンタ装置。
【請求項１８】
圧接ローラ（４３）が、
少なくとも１つの軸受ピン（４４）によって、底（１６）に設けられた軸受コンソール（４２）内にルーズに軸承されており、かつ、
底（１６）の閉鎖位置において、印刷装置（４８）と堅固に結合された軸受側板（５０）の係合部分、たとえば押えホルダ（５１）に添接して、それによって固定される、
ことを特徴とする請求項１から１７のいずれか１項に記載のプリンタ装置。
【請求項１９】
プリンタ装置（７）を挿入モジュールとして形成する場合に、
ハウジング（１１）が前方の領域内に、底／ハウジング残り部分の分割に従って分割された、後方を向いた、一周するシール（５２）を有している、
ことを特徴とする請求項１から１８のいずれか１項に記載のプリンタ装置。
【請求項２０】
請求項１から１９のいずれか１項に記載のプリンタ装置（７）をモバイル装置内、たとえば自動車内で使用すること。
【請求項２１】
請求項１から１９のいずれか１項に記載のプリンタ装置（７）を有する、車両用のタコグラフ（１）。
【請求項２２】
プリンタ装置（７）が、タコグラフ（１）の挿入区画（６）内に収容されている、ことを特徴とする請求項２１に記載のタコグラフ（１）。
【発明の詳細な説明】
【技術分野】
【０００１】
本発明は、ハウジング上側に対向する底と駆動位置においてハウジングの前側から後ろ側へ延びる、互いに堅固に結合された２つの側面側とを備えたハウジング、ハウジング内に取り付けられた印刷装置、たとえばロール形式の、印刷すべき用紙のストックを収容するための、ハウジング内の紙収容ユニットを有し、前記印刷装置に、たとえばドラムの形式の用紙圧接ローラが対向している、好ましくはモバイル適用のための、プリンタ装置に関する。
【０００２】
本発明は、さらに、この種のプリンタ装置の使用と、この種のプリンタ装置を有する車両用のタコグラフに関する。
【背景技術】
【０００３】
プリンタ装置においては、その駆動中に、用紙ストック、たとえば用紙ロールをできるだけ問題なく新しくすることができることは、重要な判断基準の１つである。これは、計算機ネットと接続された、従来の卓上プリンタにおいては、何の困難もなく、上からまたは側方から用紙収容ユニットへ接近することは、容易に可能である。しかしモバイル適用のためのプリンタ装置においては、たとえばこの種のプリンタ装置が、モバイル装置用の挿入モジュールとして設計されている場合に、状況はより問題になる；ここでは、通常、プリンタ装置の小さい寸法が与えられているので、側方の接近は、問題にならない。ここではさらに、モバイル適用の場合には、通常、用紙交換する場合にも、たとえばテーブル、書見台のような、プリンタ装置をのせるための補助手段は提供されないので、用紙交換する場合には、プリンタ装置を手で保持しなければならない。他方で、プリンタ装置の寸法が小さい場合に、プリンタ装置の機械的部品と電気部品を含めてコンパクトな全体構造にも留意しなければならず、それが、用紙交換の際の付加的な問題となることがある。さらに、特許文献１と２に記載の引出し原理に基づく構造も、機械的にかなり複雑である。
【先行技術文献】
【特許文献】
【０００４】
【特許文献１】欧州特許公開公報ＥＰ３７２７５３Ａ２
【特許文献２】独国実用新案公報ＤＥ２９８１２２１６Ｕ１
【発明の概要】
【発明が解決しようとする課題】
【０００５】
本発明の課題は、プリンタ装置の構造あるいは機能を損なうことなしに、快適なやり方で用紙ストックを新しくすることを可能にする、冒頭で挙げた種類のプリンタ装置を提供することである。特に、プリンタ装置の小さい寸法とコンパクトな構造を得ることも可能にしようとしている。さらに、プリンタ装置を開閉する場合に、好ましくは、互いに対して移動可能な部分の簡単な固定が可能であるようにしようとしている。
【課題を解決するための手段】
【０００６】
設定された課題を解決するために、本発明においては、請求項１の特徴を有するプリンタ装置が設けられる。好ましい実施形態と展開が、従属請求項に記載されている。
【０００７】
さらに、本発明によれば、好ましくは、モバイル装置内に、たとえば自動車内に、本発明に基づくプリンタ装置が使用される。本発明においては、本発明に基づくプリンタ装置を有する、車両用のタコグラフも設けられる。特に、プリンタ装置は、挿入モジュールとして、タコグラフの引出し内に収容される。
【０００８】
このプリンタ装置においては、底が引き開けられ、それによってハウジング内の用紙収容ユニットへの接近が解放されることによって、用紙ストックを簡単なやり方で下側から挿入し、あるいは新しくすることができる。用紙ストックを、ハウジング下側から完全にじゃまされずに挿入することができ、さらに印刷の際の紙送りを障害なしで実現することができるようにするために、底が、用紙−圧接ローラを支持しており、それに本来の印刷装置が圧力を及ぼすことができる。このようにして、好ましいことであるが、用紙ストックとして用紙ロールが設けられ、用紙がロールから引き出される場合に、用紙ロールを挿入した後に、用紙は前へ向かって−印刷装置と圧接ローラの間で−引き出されて、最初の印刷のためにすでに、簡単に正しい位置へ移動することができる。その後、底を引き上げる場合に、自動的に用紙が印刷装置と圧接ローラとの間に挟持されるので、印刷の準備ができる。
【０００９】
まさにモバイル適用のために、ここではさらに、引き開けることのできる底を、それを引き開けて、また閉める場合に、予め定められたように制御すると効果的であって、それによって、用紙ストックを替える際に障害をもたらすであろう、望ましくない揺動が回避され、従って底が、摺動および揺動制御装置を介してハウジングの側方部分と結合されていると、効果的である。ハウジングに対する底の移動の制御は、原理的に、連動桿、レバーおよび同様な機械的な、移動可能な結合部品を介して行うことができる；しかし、特に簡単かつ効率的な構造は、摺動および揺動制御装置が、側方部分内のピンガイドと、それと協働する、底の側方に設けられたピンとを有している場合に、得られる。、ピンガイドは、側方部分内の溝によって形成することができ、溝は、たとえば、薄板部品からなる側方部分内に深絞りによって形成することができる。しかし、特に簡単かつ場所をとらない構造は、ピンガイドが、壁形状の側方部分、たとえば単純な薄板内のスロットによって形成される場合に、得られる。ピンガイドは、さらに、然るべく相互に対応づけられた、まっすぐに延びるガイドとアーチ形状のガイドを有することができる。特にここで、本来の引き開けの前に、底を最初に前へ移動させるために、各側方部分が後方の領域内に、まっすぐに延び、同時に底のための揺動軸受を形成する、後方のピンガイドを有していると、効果的である。従って、この形態においては、底の下方揺動が可能になる前に、最初に、プリンタ装置の水平の駆動位置において底を直線的に水平に前へ移動させることによって、底のアンロックが行われる。アンロック−前移動を許しながら、このように下方へ揺動するために、さらに、各側方部分が組み合わされたピンガイドを有し、そのピンガイドが、まっすぐな部分、まっすぐな部分に対して平行に延びる後方のピンガイドおよびそれに連続する、好ましくは少なくとも部分的に円弧状に形成され、前方かつ下方へ延びるアーチ部分を有していると、効果的である。従って、本来の揺動運動を制御する、この「複合」−ピンガイドのアーチ形状の部分は、円弧形状であって、それによって、後方のまっすぐに延びるピンガイド内の、底の、仮想であっても、固定の揺動軸が可能になる。しかし、底を引き開ける間に、後方のまっすぐなピンガイドに沿って底がわずかに前／後移動することを許すことも、もちろん可能である。
【００１０】
底が戻るように摺動することは、いずれにしても、底がその引き開けられた終端位置に接近した場合に効果的であって、そのために、底部分が下方の領域内で再び後方へ延びていると効果的であって、まっすぐな後方のピンガイド内へ嵌入するピンは、底が引き開けられる場合に制御を受けて、アーチ形状のピンガイド内へ嵌入するピンを介して、再び後方の端部へ戻るように摺動される。
【００１１】
まっすぐに延びる後方のピンガイドは、効果的なやり方で、特に付加的な固定部材を必要とすることなしに、底を、閉鎖位置と引き開けた終端位置に固定するために利用することができ、この目的のためには、まっすぐの後方のピンガイドの領域内に、弾性変形可能な係止部が設けられており、それによってピンが後方の終端位置に取り外し可能に固定される。係止部は、長手スロットとして形成された、まっすぐな後方のピンガイドを狭くすることによって、簡単に形成することができる。
【００１２】
底を前へ移動させた後に、そこから底が下方へ開くことができる、正確な点を得るために、そして付加的に前へ移動させる際の直線ガイドを得るために、さらに、各側方部分が、その前方の半分の中に、一般的にＬ字形状のピンガイドを有しており、そのピンガイドが、まっすぐな後方のピンガイドに対して平行な、まっすぐな部分と、それに連続して下方へ延びて、側方部分の下方の端縁において自由に開口する解放部分とを有していると、効果的である。
【００１３】
用紙交換後に用紙を「通す」ことも、特に快適に形成される、構造的に好ましい形式で、前側に用紙排出スロットを形成するために、さらに、ハウジングが水平に分割されたフロント壁を有しており、下方の壁部分が底と堅固に結合されており、それに対して上方の壁部分はハウジング上側に揺動移動可能に保持されていると、効果的である。、フロント壁の壁部分の間に、好ましくは、用紙を通過させるためのスロットが形成されている；このスロットに、上方の壁部分がその下方の端縁に支持する細片を対応づけることができる；この細片は、好ましくは、埃、そして特に、たとえば水しぶきのような、水分も、ハウジングの内部へ侵入することを阻止する、シールを形成している。他方で、この細片は、好ましくは、下方の壁部分を前へ移動させながら、底を引き開ける場合に、上方の壁部分を前へ揺動させるための連動部材を形成することもでき、揺動運動の途上で底が前へ摺動し、あるいは前へ移動する場合に、下方の壁部分の上方の端縁が、細片を介して上方の壁部分を前へ連動し、上方の壁部分が上へ揺動する場合および底が下方へ揺動する場合に、下方の壁部分と細片が、係合を外れる。
【００１４】
他方で、底とフロント壁を閉鎖するために（この移動シーケンスにおいて上方の壁部分の自動的な連動が得られる）、上方の壁部分が、少なくとも１つの側方の、たとえば歯の形状の、連動ストッパを有していると、特に効果的であって、底が閉鎖された駆動位置へ戻るように移動する場合に、上方の壁部分がその連動ストッパに添接して、それによって上方の壁部分が閉鎖位置へ戻るように移動される。
【００１５】
このプリンタ装置において、特にドラムの形式の、圧接ローラが底に取り付けられていることによって、製造誤差などに基づいて、本来の印刷装置に対して極めて正確な整合がもたらされないことがあり、それが印刷の品質を損なうことがある。それにもかかわらず、本来の印刷装置に対する圧接ローラの正確な位置決めは、このプリンタ装置においては、圧接ローラが少なくとも１つの軸受ピンによって、底に設けられた軸受コンソール内にルーズに軸承されており、かつ底の閉鎖位置において、印刷装置と堅固に結合された軸受側板の係合部分、たとえば押えホルダに添接し、それによって固定されている場合に、−圧接ローラを印刷装置の固定の構成部品とする必要なしに−可能である。従って、ハウジングの下側に設けられた底を閉鎖する場合に、印刷装置と堅固に結合された軸受側板の係合部分が、圧接ローラの軸受ピンと係合して、その軸受ピンとそれに伴ってドラムを、印刷装置に対して所望の正しい位置に固定する。
【００１６】
すでに説明したように、このプリンタ装置は、特に、モバイル装置のため、たとえばタコグラフのための、挿入モジュールとして考えられており、ここで装置ハウジング内へ密に挿入することを可能にするために、プリンタ装置のハウジングが、その前方の領域内に、たとえばフロント壁の後方に、底と残りのハウジングの間の分離に従って分割された、後方へ向けられた、一周するシール、特にリップシールを有していると、効果的である。このシールは、従来のように、ゴム材料からなることができる。
【００１７】
このプリンタ装置において、本来の印刷装置自体は、たとえば印刷種類、印刷速度のような、それぞれ所望の機能に応じて、かつそれぞれ与えられた環境条件に応じて、選択することができる。プリンタ装置を、タコグラフのような、モバイル装置内へ組み込む場合に、プリンタ装置は、モジュール構造で形成され、このように形成されたプリンタモジュールは、用紙あるいは用紙ロールを装置のハウジング内へ補充するために、機械的にアンロックされて、そっくり取り出される。このようにして、タコグラフのような、残りのモバイル装置に比較して、むしろ寿命の短い、消耗部分と見なすことができる、プリンタ装置を、装置の分解なしで、かつ調整のし直しなしで、交換することも可能である。
【００１８】
このプリンタ装置における利点は、さらに、用紙を引き出した場合に、それぞれもたらされた印刷が即座に読取り可能なことでもある。というのは、文字が上を向いているからである。プリンタ装置を機械的にできるだけ簡単に形成することに鑑みて効果的であるが、用紙ストックが用紙ロールである場合に、用紙引きちぎり部材は、プリンタ装置のフロント側に設けることができ、その用紙引きちぎり部材は、それ自体知られているように、たとえば歯を有するように、形成することができ、かつ用紙は、上方へ向かって、あるいはまた下方へ向かって引きちぎることができる。
【００１９】
プリンタ装置の内部を、埃または水しぶきに対して保護する、プリンタ装置のフロント壁に設けられた細片は、たとえばシリコーンからなることができる。この細片は、引きちぎりエッジのすぐ前に取り付けることができる。用紙は、前進する場合に、このシール細片またはシールリップを開放することができる。用紙の引きちぎり後に、細片はまた、引きちぎりエッジの前の、用紙のための排出スロットを閉鎖する。排出スロットの外部のフロント壁の部分のシールは、壁部分の互いに接触する端縁に設けられた、一周するラビリンスによって行うことができる。
【００２０】
以下、図面に示す好ましい実施例を用いて、本発明をさらに詳細に説明するが、本発明はそれに限定されるものではない。
【図面の簡単な説明】
【００２１】
【図１】挿入モジュールとして形成された、本発明に基づくプリンタ装置を有するタコグラフの形式のモバイル装置を図式的に示す正面図である。
【図２】挿入モジュールとして形成された、この種のプリンタ装置を、前から軸測投象法で示す下面図である。
【図３】挿入モジュールとして形成された、この種のプリンタ装置を、後ろから軸測投象法で示す下面図である。
【図４】図３のＩＶの拡大図である。
【図５】プリンタ装置を、開いた位置において、すなわち底が下方へ直角に引き開けられた位置において、図２と同様に示している。
【図６Ａ】図１、２に示すプリンタ装置のハウジングの１つの側方部分を示す。
【図６Ｂ】図１、２に示すプリンタ装置のハウジングの１つの側方部分を示す。
【図７】図６Ｂを起点として、プリンタ装置のハウジングを開放する場合の、すなわち底を開く場合のプロセスを一つの相において示す、図６Ｂと同様の図である。
【図８】図７とは別の相における図６Ｂと同様の図である。
【図９】図８とはまた別の相における図６Ｂと同様の図である。
【図１０】底を閉鎖する場合のプロセスを示す、図式的な断面図であって、特にフロント壁が分割されている場合に、閉鎖プロセスにおいてフロント壁の下方の壁部分が、どのようにして上方の壁部分を連動させるかを示す図であって底が閉鎖されていない状態を示している。（印刷装置、圧接ローラなどは省かれている）
【図１１】図１０とは別のプロセスにおける図１０と同様の図である。
【図１２】底を閉鎖する場合の一つの相を示しており、特に、本来の印刷装置と堅固に結合された係合部分によって、ロックの形式で圧接ローラが固定されることが示されている。
【図１３】図１２とは別の相における図１２と同様の図である。
【図１４】図１３とはまた別の相における図１２と同様の図である。
【図１５】図１３と同様な部分断面図であるが、他方の側から、圧接ローラの「係止」またはロックを示している。
【図１６】底への圧接ローラの軸承を示す斜め上からの斜視図である。
【図１７】図１６のXVIIの詳細を示す図であって、底内でドラムの軸受ピンが上方へ向かって（通常の駆動位置に関して）比較的自由に保持されるかを示している。
【図１８】底への圧接ローラの軸承を示す斜め下からの斜視図である。
【図１９】図１８のXIVの詳細を示す図である。
【発明を実施するための形態】
【００２２】
図１には、例としての電子的なタコグラフ１のフロント側が示されており、そのタコグラフは、種々の操作部材２、３およびディスプレイ４を別にして、そのハウジング５の内部に、挿入モジュールとして形成されたプリンタ装置７のための引出し６を有している。このプリンタ装置７は、それ自体従来と同じで、これ以上示さないやり方で、引出し６内に取り外し可能にロックされており、かつ、上方の壁部分９と下方の壁部分１０を備えた、分割されたフロント壁８を有している；図２も参照。
【００２３】
特に図２〜６Ｂから明らかなように、プリンタ装置７は、２つの壁またはプレートの形状の側方部分１２、１３を備えた、たとえばほぼ直方体形状のハウジング１１を有しており、その側方部分は、ハウジングの上方の壁１４を介して（図１０と１１も参照）、あるいは背壁１５を介して（図３を参照）、互いに堅固に結合されている。たとえば薄板によって形成されている、これら側方部分１２、１３は、簡単にするために、以下においては側壁とも称される。
【００２４】
さらに、ハウジング１１は、底フラップとも称される、底１６を有しており、その底は、図２と３を図５と比較すると明らかなように、下方へ引き開けることができる。、底１６は、フロント壁８の下方の壁部分１０と堅固に結合されており、それに対してフロント壁８の上方の壁部分９は、たとえば図５の表示と図７から９の表示から明らかなように、上方の領域において、駆動位置において水平の軸（詳しく図示せず）を中心に揺動可能にハウジング１１内に取り付けられている。
【００２５】
底１６は、もちろん、プリンタ装置７の奥行き全体にわたって延びている必要はなく、図５に示す開いた状態において、たとえば用紙ロールの形式の用紙ストック１７をハウジング内へ取り付けることができるようにするために必要な距離だけ、後方へ延びていれば、十分である。以下においては、簡単にするために、参照番号１７は、用紙ストックにも、具体的な例としての用紙ロールにも、使用される。底１６を残りのハウジング１１に対して開くために、全体を符号１８で示す摺動および揺動制御装置が設けられており、それは、側壁１２、１３内の種々のピンガイドと、それと協働する、底１６に設けられたピンとを有している。たとえば深絞りによって形成された、側方部分１２、１３内の溝の形式のピンガイドを設けることも考えられるが、簡単にするために、ピンガイドは、たとえば薄板からなる側壁１２、１３内のスロットの形式で設けられる；特に図５と、さらに図６Ａ、６Ｂと、図７、８、９を参照。
【００２６】
詳細には、側壁１２、１３内に、たとえば図６Ｂと７から９に示す側壁１２内に、その後方の領域の下に、直線的に延びる、比較的短いスロットの形式の、後方のピンガイド１９が設けられており、その中へ、揺動運動において軸受ピンとして機能する、底１６のピン２０が嵌入する。ピン２０は、少し前にあるピン２１および図６Ｂの駆動位置においてピン２０のほぼ上方に位置する他のピン２２と同様に、底１６のそれぞれの側方部分２３、２４に側方へ張り出すように取り付けられている。
【００２７】
それぞれまっすぐな後方のピンガイド１９は、さらに、係止部を克服した後に、すなわち完全に引き戻した後に（図６Ａと６Ｂおよび図９を参照）、ピン２０をピンガイドあるいはスロット１９の内部の、図示の後方の位置に固定するために、狭窄部２５の形式の固定係止部を有している。ピン２０は、係止部２５の必要な弾性変形によって与えられる力を克服するだけで、この固定位置から、あるいはこの固定位置へ、移動することができ、それによって、たとえば図６Ｂに示す、底１６の閉鎖位置から開き始める際に、底を図６Ｂの矢印に示すように前方へ摺動させ、あるいはまた、図９に示す開かれた位置において明らかなように、底１６を垂直に下方へ揺動された位置に−同様にスロット形状の組み合わされた付属のピンガイド２６と協働して−暫定的に固定することができる。
【００２８】
組み合わされたピンガイド２６は、上方のまっすぐな部分２７を有しており、その中でピン２２は、底１６の閉鎖位置にあって（図６Ｂを参照）、まっすぐな部分２７を通過した後に、ピン２２は、特に円弧に従って延びる、アーチ形状の部分２８内へ移動し、それによって溝付きリンク制御の形式で底１６とそれに固定された部分の揺動運動が設定され、かつ制御されて、ピン２０による揺動軸承は、後方、下方のスロット−ピンガイド１９内で与えられている。
【００２９】
前方のピン２１は、底１６を開放する場合に、Ｌ字状のピンガイド２９を通過し、そのピンガイドは、好ましくは同様にスロット形状であって、ピンガイド１９に対して平行な、直線的な部分３０を有しており、その部分が、それに対して一般的に直角に延びる、下方へ案内する解放−部分３１へ移行しており、その解放−部分が側壁１２および１３の下側において自由に開口しているので、ピン２１は、底１６が下方へ揺動する場合にこのスロット−ピンガイド２９から自由になる：図８と９を参照。
【００３０】
駆動位置において水平に保持されたハウジング１１から底１６が開かれる場合に（たとえば図６Ｂを参照）、まず底１６が前方の壁部分１０と共に矢印方向に前方へ摺動され、ピン２０、２１および２２は、互いに対して平行な直線的なスロットガイド１９、２７および３０内で案内される。この線形の摺動運動の最後に、ピン２０が、スロット−ピンガイド１９の前方の、図６Ｂまたは図７に示す右の端部に添接するので、それ以上の摺動運動は、もはや不可能である。しかし、この相において、ピン２１は、Ｌ字状のスロット２９の内部で、今度は部分３１を通って下方へ移動することができ（図７の矢印を参照）、すなわち底１６は、スロット１９の前方の端部領域内のピン２０を中心に下方へ揺動することができ、この下方揺動の中間段階が、図８に示されている。この中間段階において、上述したように、ピン２１は、Ｌ字状のスロット−ピンガイド２９から自由になり、組み合わされたスロット−ピンガイド２６のアーチ状の部分２８が、ピン２２を然るべく案内することによって、底１６の予め定められた開放運動を強制し、このガイドの最後の部分において、ピンガイド２６の再び後方へアーチ状に延びる戻し部分３２によって、底１６とスロット−ピンガイド１９内のピン２０が再び後方へ摺動され、それによって底１６が、係止部２５によって完全に開かれた位置に弾性的に固定される。この状況が、図９に示されている。
【００３１】
側方部分２３、２４およびフロント壁−前壁１０と共に底１６を閉鎖、すなわち持ち上げて閉める場合には、シーケンスが図６Ｂと７から９を用いて説明したのとは逆になり、すなわち図９に示す位置から始まって、底１６は、前側へ摺動し（図９の表示に従って右へ）、かつアーチ部分３２、２８によって与えられる揺動ガイドに従って上へ移動しながら上へ揺動され、上へ揺動する最後に、ピン２１がＬ字状のピンガイド２９の垂直部分３１内へ進入し、このピンガイド２９の上方の端縁に当接する；この瞬間から（図７を参照）、底１６は、たとえば前方の壁１０を押圧することによって（図７において左の方向へ）、戻されて、ピン２０が係止部２５の後方へ嵌り込んで、図６Ｂに示す初期位置および駆動位置または閉鎖位置が達成される。
【００３２】
底１６をこのように上へ戻し、あるいは閉鎖する場合に、図示の実施例においては、フロント壁８の下方の壁部分１０も、上方の壁部分９を、特に上方の壁部分９の側方に取り付けられた歯の形状の連動ストッパ３３を介して、連動させる（図１０（底１６を矢印方向に戻すことを導入する際の状態）と１１（閉鎖位置）も参照）。歯の形状の連動ストッパ３３は、図５の表示からも明らかであって、これら２つの連動ストッパ３３は、プリンタ装置７のプリント駆動と特に紙送りを妨げないだけの距離、側方へ変位していることが、わかる。
【００３３】
図１０と１１から、そして図１２〜１４からも、さらに、用紙収容区画、一般に用紙収容ユニット３４が認識でき、図１２と１３の表示に示す断面ガイドは、側方へ寄っており、すなわち一方の側壁１３に隣接しているが、その内部に位置しているので、用紙収容区画３４のための補強ウェブ３５が認識される。もちろん、区画内部にこの種のウェブを設けないこともでき（図１０と１１を参照）、それによって用紙ストック、特に図５に示す用紙ロール１７をその中に挿入することができる。区画３４は、上、後方および部分的に前方を、たとえば適切に屈曲された薄板、あるいはプラスチック部分３６によって形成されているので、下方へ向かって開放された槽形状の区画３４が得られ、用紙ロール１７から引き出された用紙をフロント壁８に、すなわち２つの壁部分９、１０の間に、設けられた排出スロット３８へ案内するための前方の水平の突出部３７が設けられている。用紙の推移は、ハウジングの２つの側壁１２、１３の外側に、表示３９によって象徴的に示唆されている；図２から９を参照。この表示３９は、プリンタ装置７を取り扱う場合に、特に用紙ロール１７を交換する場合に、利用者の理解を容易にする。
【００３４】
用紙を通過させるためのスロット３８は、中央の領域において、上方の壁部分９の下方の端縁に取り付けられた細片４０によって密閉するように覆われている。この細片４０は、たとえばゴム材料から、特にシリコーンからなり、用紙のための通過スロット３８をほこりや水分が侵入しないように密閉しているので、ほこり粒子や水しぶきがプリンタ装置７の内部で達することはない。
【００３５】
シールリップ細片４０は、底１６を開放、すなわち引き開ける際に、上方の壁部分９を前方へ揺動させるのに寄与することもできる。しかし、前方上の壁部分９は、実質的に、底を前へ移動させる場合に（図７を参照）、圧接ローラとして設けられたドラム（プリンタドラム４３）のための軸受コンソール４２の前方の斜めの側面４１によって実現される；図５を参照。プリンタドラムとも称されるこのドラム４３は、軸受コンソール４２を介して底１６にルーズに軸承されており（図１６から１８の表示も参照）、特に、プリンタドラム４３の軸受ピン４４が、上側へ向かって開放した、軸受コンソール４２の軸受収容部４５内に嵌り込むように挿入されていることが、理解される。一方の側において、さらに、歯車４６がプリンタドラム４３と相対回動不能に結合されており、それによってプリント工程の際に、あるいは、もっと正確には紙送りの際に、ハウジング１１の内部でその上に配置されている印刷装置４８からプリンタドラム４３への駆動が実現される。
【００３６】
図１２〜１５の表示から、底１６とそれに伴ってプリンタ装置７を閉鎖する場合に、最初はまだルーズに軸承されているプリンタドラムまたは圧接ドラム４３が、軸受コンソール１２の軸受収容部４５内にその軸受ピン４４によって固定される。図１２と１３の表示における矢印に示すように、底１６を引き戻す場合に、ドラム４３の軸受ピン４４が、印刷装置４８と堅固に結合された、軸受側板５０の軸受収容部４９の方向へ摺動され、印刷装置は、それ自体通常のように形成されており、従ってより詳しく表示および説明はしない。軸受収容部４８の上側に、押えホルダ５１を形成する、斜めの係合部分５１が設けられており（図１４を参照）、この押えホルダ５１は、軸受ピン４４を、底１６の軸受コンソール４２の軸受収容部４５内にロックする。この状態が、図１４に示されている。、この位置において、歯車４７が、印刷装置４８の図面には詳しく図示されない、対応する歯車と係合し、それによって紙送りのために回転運動が伝達される。しかし特に、圧接ドラム４３が、押えホルダ５１を介して、印刷装置４８に対して正確な位置に固定され、それによって用紙上に印刷を設ける場合に、印刷部材に対する用紙の正確な相対位置が保証される。
【００３７】
図１５には、斜めの押えホルダ５１に対して軸受ピン４４を圧接しながら行う、このロックプロセスが、最終的に有効なロックに達する直前の相において、反対側から見て示されている。
【００３８】
図４からさらに明らかなように、フロント壁８の後方に、たとえばシールリップの形状の、一周するシール５２が、プリンタ装置７のハウジング１１に取り付けられており、もちろん、このシール５２は、一方では底部分１６（前方の壁部分１０を有する）の分離平面に従って、他方では残りのハウジング１１（上方の壁部分９を有する）に対して然るべく分割されており、それによって底１６を付属の部材と共に引き開けることが可能になる。さらに、図４から、フロント壁８の２つの壁部分９と１０の間のシール５３が認識できる。シールリップ細片４０によるシールの側方に存在する、このシール５３は、ラビリンスシールを有することもできる。
【００３９】
印刷装置４８は、たとえば手頃な値段のサーマルプリンタモジュールとすることができる；印刷装置４８と協働する圧接ローラ４３は、ゴム材料からなることができ、あるいは、コアの上に取り付けられた、ゴム材料からなるジャケットを有することができ、コアの外側の端部が、たとえば軸受ピンを形成する。ハウジング１１は、プラスチックから、たとえばＰＣ−ＡＢＳからなることができる。
【図１】
2011509847.tif 000003
【図２】
2011509847.tif 000004
【図３】
2011509847.tif 000005
【図４】
2011509847.tif 000006
【図５】
2011509847.tif 000007
【図６Ａ】
2011509847.tif 000008
【図６Ｂ】
2011509847.tif 000009
【図７】
2011509847.tif 000010
【図８】
2011509847.tif 000011
【図９】
2011509847.tif 000012
【図１０】
2011509847.tif 000013
【図１１】
2011509847.tif 000014
【図１２】
2011509847.tif 000015
【図１３】
2011509847.tif 000016
【図１４】
2011509847.tif 000017
【図１５】
2011509847.tif 000018
【図１６】
2011509847.tif 000019
【図１７】
2011509847.tif 000020
【図１８】
2011509847.tif 000021
【図１９】
2011509847.tif 000022
【国際調査報告】
2011509847.tif 000023
2011509847.tif 000024
2011509847.tif 000025
2011509847.tif 000026